(57)【要約】【課題】  一般のレンズ調整による補正が困難な収差の発生を良好に抑えて乾燥型結像光学系から液浸型結像光学系へ切り換えることのできる調整方法。【解決手段】  像面に接する気体層を介して像を形成する乾燥型結像光学系を、像面に接する浸液層を介して像を形成する液浸型結像光学系に変える調整方法。乾燥型結像光学系中の最も像面側に配置された第１光学部材（Ｐ３ａ）の像面側の平面状の光学面と像面との平行度を測定する測定工程（Ｓ１）と、第１光学部材を液浸型結像光学系用の第２光学部材（Ｐ３）と交換する交換工程（Ｓ２）と、測定工程の測定結果を参照して、第２光学部材の像面側の平面状の光学面を像面に対してほぼ平行に位置決めする位置決め工程（Ｓ３）とを備えている。【選択図】  図６
2005235921.tif 000002
【特許請求の範囲】
【請求項１】
像面に接する気体層を介して像を形成する乾燥型結像光学系を、像面に接する浸液層を介して像を形成する液浸型結像光学系に変える調整方法であって、
前記乾燥型結像光学系中の最も前記像面側に配置された第１光学部材の像面側の平面状の光学面と前記像面との平行度を測定する測定工程と、
前記第１光学部材を前記液浸型結像光学系用の第２光学部材と交換する交換工程と、
前記測定工程の測定結果を参照して、前記第２光学部材の前記像面側の平面状の光学面を前記像面に対してほぼ平行に位置決めする位置決め工程とを備えていることを特徴とする調整方法。
【請求項２】
前記第１光学部材および前記第２光学部材はともに平行平面板であることを特徴とする請求項１に記載の調整方法。
【請求項３】
前記位置決め工程の後に前記液浸型結像光学系の収差を調整する収差調整工程をさらに備えていることを特徴とする請求項１または２に記載の調整方法。
【請求項４】
前記収差調整工程は、前記液浸型結像光学系の偏芯コマ収差を補正する収差補正工程を含むことを特徴とする請求項３に記載の調整方法。
【請求項５】
前記収差補正工程は、前記第２光学部材に隣接する第３光学部材を光軸に対して傾斜させる工程を含むことを特徴とする請求項４に記載の調整方法。
【請求項６】
前記交換工程は、前記第１光学部材に隣接する第４光学部材を前記第３光学部材と交換する工程を含むことを特徴とする請求項５に記載の調整方法。
【請求項７】
前記第３光学部材および前記第４光学部材はともに平行平面板であることを特徴とする請求項６に記載の調整方法。
【請求項８】
前記測定工程では、オートコリメータを用いて前記第１光学部材の像面側の平面状の光学面と前記像面との平行度を測定する工程を含むことを特徴とする請求項１乃至７のいずれか１項に記載の調整方法。
【請求項９】
請求項１乃至８のいずれか１項に記載の調整方法により製造されたことを特徴とする結像光学系。
【請求項１０】
マスクを照明するための照明系と、前記マスクに形成されたパターンの像を前記像面に設定された感光性基板上に形成するための請求項９に記載の結像光学系とを備えていることを特徴とする露光装置。
【請求項１１】
所定のパターンが形成されたマスクを照明し、請求項９に記載の結像光学系を介して前記マスクのパターンを前記像面に設定された感光性基板上に投影露光することを特徴とする露光方法。
【発明の詳細な説明】
【技術分野】
【０００１】
本発明は、光学系の調整方法、結像光学系、露光装置、および露光方法に関し、特に半導体素子や液晶表示素子などをフォトリソグラフィ工程で製造する際に使用される露光装置に搭載される投影光学系に関するものである。
【背景技術】
【０００２】
半導体素子等を製造するためのフォトリソグラフィ工程において、マスク（またはレチクル）のパターン像を、投影光学系を介して、フォトレジスト等が塗布されたウェハ（またはガラスプレート等）上に露光する露光装置が使用されている。そして、半導体素子等の集積度が向上するにつれて、露光装置の投影光学系に要求される解像力（解像度）が益々高まっている。
【０００３】
したがって、投影光学系の解像力に対する要求を満足するために、照明光（露光光）の波長λを短くするとともに投影光学系の像側開口数ＮＡを大きくする必要がある。具体的には、投影光学系の解像度は、ｋ・λ／ＮＡ（ｋはプロセス係数）で表される。また、像側開口数ＮＡは、投影光学系と感光性基板（ウェハなど）との間の媒質（通常は空気などの気体）の屈折率をｎとし、感光性基板への最大入射角をθとすると、ｎ・sinθで表される。
【発明の開示】
【発明が解決しようとする課題】
【０００４】
この場合、最大入射角θを大きくすることにより像側開口数ＮＡの増大を図ろうとすると、感光性基板への入射角および投影光学系からの射出角が大きくなり、光学面での反射損失が増大して、大きな実効的な像側開口数を確保することはできない。そこで、投影光学系と感光性基板との間の光路中に屈折率の高い液体のような媒質を満たすことにより像側開口数の増大を図る技術が知られている。
【０００５】
一般に、像面に接する浸液層を介して像を形成する液浸型結像光学系では、像面に接する気体層を介して像を形成する通常の乾燥型結像光学系よりも、焦点深度および解像力が向上する。また、露光装置において液浸型結像光学系（液浸型投影光学系）を用いる場合、乾燥型結像光学系を用いる場合よりも、レジスト反射率の低下を図ることができる。したがって、特に露光装置の場合、投影光学系を必要に応じて乾燥型から液浸型へ切り換えることができれば好都合である。
【０００６】
しかしながら、結像光学系の最も像側に配置される光学部材などの交換により乾燥型から液浸型への切り換えを行うと、後述するように、偏芯コマ収差、偏芯球面収差、偏芯歪曲収差、像面傾斜などの諸収差が発生し易い。ここで、偏芯コマ収差以外の収差、すなわち偏芯球面収差、偏芯歪曲収差、像面傾斜などの収差は、一般のレンズ調整（光学部材の位置または姿勢の調整）による補正が非常に困難である。
【０００７】
本発明は、前述の課題に鑑みてなされたものであり、一般のレンズ調整による補正が困難な収差の発生を良好に抑えて乾燥型結像光学系から液浸型結像光学系へ切り換えることのできる調整方法を提供することを目的とする。また、諸収差の発生を良好に抑えて乾燥型から液浸型へ切り換えられた結像光学系を用いて、高解像で良好な露光を行うことのできる露光装置および露光方法を提供することを目的とする。
【課題を解決するための手段】
【０００８】
前記課題を解決するために、本発明の第１形態では、像面に接する気体層を介して像を形成する乾燥型結像光学系を、像面に接する浸液層を介して像を形成する液浸型結像光学系に変える調整方法であって、
前記乾燥型結像光学系中の最も前記像面側に配置された第１光学部材の像面側の平面状の光学面と前記像面との平行度を測定する測定工程と、
前記第１光学部材を前記液浸型結像光学系用の第２光学部材と交換する交換工程と、
前記測定工程の測定結果を参照して、前記第２光学部材の前記像面側の平面状の光学面を前記像面に対してほぼ平行に位置決めする位置決め工程とを備えていることを特徴とする調整方法を提供する。
【０００９】
第１形態の好ましい態様によれば、前記第１光学部材および前記第２光学部材はともに平行平面板である。また、前記位置決め工程の後に前記液浸型結像光学系の収差を調整する収差調整工程をさらに備えていることが好ましい。この場合、前記収差調整工程は、前記液浸型結像光学系の偏芯コマ収差を補正する収差補正工程を含むことが好ましい。また、この場合、前記収差補正工程は、前記第２光学部材に隣接する第３光学部材を光軸に対して傾斜させる工程を含むことが好ましい。
【００１０】
さらに、この場合、前記交換工程は、前記第１光学部材に隣接する第４光学部材を前記第３光学部材と交換する工程を含むことが好ましい。また、この場合、前記第３光学部材および前記第４光学部材はともに平行平面板であることが好ましい。また、第１形態では、前記測定工程では、オートコリメータを用いて前記第１光学部材の像面側の平面状の光学面と前記像面との平行度を測定する工程を含むことが好ましい。
【００１１】
本発明の第２形態では、第１形態の調整方法により製造されたことを特徴とする結像光学系を提供する。
【００１２】
本発明の第３形態では、マスクを照明するための照明系と、前記マスクに形成されたパターンの像を前記像面に設定された感光性基板上に形成するための第２形態の結像光学系とを備えていることを特徴とする露光装置を提供する。
【００１３】
本発明の第４形態では、所定のパターンが形成されたマスクを照明し、第２形態の結像光学系を介して前記マスクのパターンを前記像面に設定された感光性基板上に投影露光することを特徴とする露光方法を提供する。
【発明の効果】
【００１４】
本発明の調整方法では、一般のレンズ調整による補正が困難な収差の発生を良好に抑えて、乾燥型結像光学系から液浸型結像光学系へ切り換えることができる。液浸型への切り換えにより、結像光学系の焦点深度および解像力の向上を図ることができる。また、液浸型に切り換えられた結像光学系を露光装置および露光方法に用いる場合、レジスト反射率の低下を図ることができる。
【００１５】
したがって、本発明の露光装置および露光方法では、諸収差の発生を良好に抑えて乾燥型から液浸型へ切り換えられた結像光学系を用いて、高解像で良好な露光を行うことができ、ひいては良好なデバイスを製造することができる。
【発明を実施するための最良の形態】
【００１６】
本発明の実施形態を、添付図面に基づいて説明する。
図１は、本発明の実施形態にかかる露光装置の構成を概略的に示す図である。本実施形態では、露光装置の投影光学系（結像光学系）ＰＬに対して本発明の調整方法を適用している。図１において、投影光学系ＰＬの光軸ＡＸに平行にＺ軸を、光軸ＡＸに垂直な面内において図１の紙面に平行にＹ軸を、図１の紙面に垂直にＸ軸をそれぞれ設定している。
【００１７】
図示の露光装置は、紫外領域の照明光を供給するための光源１００として、ＡｒＦエキシマレーザー光源を備えている。光源１００から射出された光は、照明光学系ＩＬを介して、所定のパターンが形成されたレチクルＲを均一に照明する。なお、光源１００と照明光学系ＩＬとの間の光路はケーシング（不図示）で密封されており、光源１００から照明光学系ＩＬ中の最もレチクル側の光学部材までの空間は、露光光の吸収率が低い気体であるヘリウムガスや窒素などの不活性ガスで置換されているか、あるいはほぼ真空状態に保持されている。
【００１８】
レチクルＲは、レチクルホルダＲＨを介して、レチクルステージＲＳ上においてＸＹ平面に平行に保持されている。レチクルＲには転写すべきパターンが形成されており、パターン領域全体のうちＸ方向に沿って長辺を有し且つＹ方向に沿って短辺を有する矩形状（スリット状）のパターン領域が照明される。レチクルステージＲＳは、図示を省略した駆動系の作用により、レチクル面（すなわちＸＹ平面）に沿って二次元的に移動可能であり、その位置座標はレチクル移動鏡ＲＭを用いた干渉計ＲＩＦによって計測され且つ位置制御されるように構成されている。
【００１９】
レチクルＲに形成されたパターンからの光は、液浸型の投影光学系ＰＬを介して、感光性基板であるウェハＷ上にレチクルパターン像を形成する。ウェハＷは、ウェハテーブル（ウェハホルダ）ＷＴを介して、ウェハステージＷＳ上においてＸＹ平面に平行に保持されている。そして、レチクルＲ上での矩形状の照明領域に光学的に対応するように、ウェハＷ上ではＸ方向に沿って長辺を有し且つＹ方向に沿って短辺を有する矩形状の静止露光領域（すなわち実効露光領域）にパターン像が形成される。
【００２０】
ウェハステージＷＳは、図示を省略した駆動系の作用によりウェハ面（すなわちＸＹ平面）に沿って二次元的に移動可能であり、その位置座標はウェハ移動鏡ＷＭを用いた干渉計ＷＩＦによって計測され且つ位置制御されるように構成されている。また、図示の露光装置では、投影光学系ＰＬを構成する光学部材のうち最もレチクル側に配置された光学部材（具体的にはレンズＬ１）と最もウェハ側に配置された光学部材（具体的には平行平面板Ｐ３）との間で投影光学系ＰＬの内部が気密状態を保つように構成され、投影光学系ＰＬの内部の気体は窒素で置換されている。
【００２１】
さらに、照明光学系ＩＬと投影光学系ＰＬとの間の狭い光路には、レチクルＲおよびレチクルステージＲＳなどが配置されているが、レチクルＲおよびレチクルステージＲＳなどを密封包囲するケーシング（不図示）の内部に窒素が充填されている。また、投影光学系ＰＬとウェハＷとの間の狭い光路には、ウェハＷおよびウェハステージＷＳなどが配置されているが、ウェハＷおよびウェハステージＷＳなどを密封包囲するケーシング（不図示）の内部に窒素が充填されている。このように、光源１００からウェハＷまでの光路の全体に亘って、露光光がほとんど吸収されることのない雰囲気が形成されている。
【００２２】
上述したように、投影光学系ＰＬによって規定されるレチクルＲ上の照明領域およびウェハＷ上の静止露光領域は、Ｙ方向に沿って短辺を有する矩形状である。したがって、駆動系および干渉計（ＲＩＦ、ＷＩＦ）などを用いてレチクルＲおよびウェハＷの位置制御を行いながら、矩形状の露光領域および照明領域の短辺方向すなわちＹ方向に沿ってレチクルステージＲＳとウェハステージＷＳとを、ひいてはレチクルＲとウェハＷとをＹ方向に沿って同期的に移動（走査）させることにより、ウェハＷ上には静止露光領域の長辺に等しい幅を有し且つウェハＷの走査量（移動量）に応じた長さを有するショット領域に対してレチクルパターンが走査露光される。
【００２３】
図２は、本実施形態の液浸型投影光学系のレンズ構成を概略的に示す図である。また、図３は、本実施形態の液浸型投影光学系の像側要部構成を概略的に示す図である。図２および図３を参照すると、本実施形態にかかる液浸型投影光学系（液浸型結像光学系）は、レチクル側から順に、平行平面板Ｐ１と、ウェハ側に非球面形状の凹面を向けた平凹レンズＬ１と、レチクル側に凹面を向けた負メニスカスレンズＬ２と、レチクル側に非球面形状の凹面を向けた正メニスカスレンズＬ３と、レチクル側に凹面を向けた正メニスカスレンズＬ４と、レチクル側に平面を向けた平凸レンズＬ５と、ウェハ側に平面を向けた平凸レンズＬ６と、レチクル側に凸面を向けた正メニスカスレンズＬ７と、ウェハ側に非球面形状の凹面を向けた正メニスカスレンズＬ８と、レチクル側に凸面を向けた負メニスカスレンズＬ９と、レチクル側に凸面を向けた負メニスカスレンズＬ１０と、ウェハ側に非球面形状の凹面を向けた負メニスカスレンズＬ１１と、両凹レンズＬ１２と、レチクル側に非球面形状の凹面を向けた負メニスカスレンズＬ１３と、両凸レンズＬ１４と、ウェハ側に非球面形状の凹面を向けた平凹レンズＬ１５と、レチクル側に凹面を向けた正メニスカスレンズＬ１６と、レチクル側に凸面を向けた正メニスカスレンズＬ１７と、開口絞りＡＳと、両凹レンズＬ１８と、両凸レンズＬ１９と、レチクル側に凹面を向けた正メニスカスレンズＬ２０と、レチクル側に凸面を向けた正メニスカスレンズＬ２１と、レチクル側に凸面を向けた正メニスカスレンズＬ２２と、ウェハ側に非球面形状の凹面を向けた正メニスカスレンズＬ２３と、レチクル側に凸面を向けた正メニスカスレンズＬ２４と、レチクル側に凸面を向けた平凸レンズＬ２５と、平行平面板Ｐ２と、平行平面板Ｐ３とにより構成されている。なお、平行平面板Ｐ３とウェハＷとの間の光路は、純水からなる浸液により満たされている。
【００２４】
本実施形態において、非球面は、光軸に垂直な方向の高さをｙとし、非球面の頂点における接平面から高さｙにおける非球面上の位置までの光軸に沿った距離（サグ量）をｚとし、頂点曲率半径をｒとし、円錐係数をκとし、ｎ次の非球面係数をＣnとしたとき、以下の数式（ａ）で表される。以下の表（１）において、非球面形状に形成されたレンズ面には面番号の右側に＊印を付している。
【００２５】
ｚ＝（ｙ2／ｒ）／［１＋｛１−（１＋κ）・ｙ2／ｒ2｝1/2］
＋Ｃ4・ｙ4＋Ｃ6・ｙ6＋Ｃ8・ｙ8＋Ｃ10・ｙ10
＋Ｃ12・ｙ12＋Ｃ14・ｙ14            （ａ）
【００２６】
また、本実施形態において、液浸投影光学系を構成する光学部材（レンズ成分および平行平面板）は、石英（ＳｉＯ2）または蛍石（ＣａＦ2）により形成されている。具体的には、正メニスカスレンズＬ２４、平凸レンズＬ２５、および平行平面板Ｐ３が蛍石により形成され、その他の光学部材は石英により形成されている。また、露光光であるＡｒＦエキシマレーザー光の発振中心波長は、１９３．３０６ｎｍであり、この中心波長に対する石英の屈折率（窒素に対する相対屈折率）は１．５６０３２６１であり、蛍石の屈折率（窒素に対する相対屈折率）は１．５０１４５４８である。さらに、平行平面板Ｐ３とウェハＷとの間に介在する浸液として、露光光に対して１．４３６６４の屈折率（窒素に対する相対屈折率）を有する純水を用いている。
【００２７】
なお、投影光学系ＰＬの平行平面板Ｐ３とウェハＷとの間の光路中に純水のような液体を満たし続けるには、たとえば国際公開番号ＷＯ９９／４９５０４号公報に開示された技術や、特開平１０−３０３１１４号公報に開示された技術などを用いることができる。国際公開番号ＷＯ９９／４９５０４号公報に開示された技術では、液体供給装置から供給管および排出ノズルを介して所定の温度に調整された液体を境界レンズＬｂ（本実施形態の平行平面板Ｐ３に対応）とウェハＷとの間の光路を満たすように供給し、液体供給装置により回収管および流入ノズルを介してウェハＷ上から液体を回収する。
【００２８】
一方、特開平１０−３０３１１４号公報に開示された技術では、液体を収容することができるようにウェハホルダテーブルＷＴを容器状に構成し、その内底部の中央において（液体中において）ウェハＷを真空吸着により位置決め保持する。また、投影光学系ＰＬの鏡筒先端部が液体中に達し、ひいては境界レンズＬｂのウェハ側の光学面が液体中に達するように構成する。
【００２９】
次の表（１）に、本実施形態にかかる液浸型投影光学系の諸元の値を掲げる。表（１）において、λは露光光の中心波長を、βは投影倍率を、ＮＡは像側（ウェハ側）開口数を、Ｙｍは最大像高を、ＬＸは静止露光領域のＸ方向に沿った寸法（長辺の寸法）を、ＬＹは静止露光領域のＹ方向に沿った寸法（短辺の寸法）をそれぞれ表している。また、面番号はレチクル側からの面の順序を、ｒは各面の曲率半径（非球面の場合には頂点曲率半径：ｍｍ）を、ｄは各面の軸上間隔すなわち面間隔（ｍｍ）を、ｎは中心波長に対する屈折率をそれぞれ示している。なお、表（１）における表記は、以降の表（２）においても同様である。
【００３０】
表（１）
（主要諸元）
λ＝１９３．３０６ｎｍ
β＝−１／４
ＮＡ＝０．８５
Ｙｍ＝１３．７３ｍｍ
ＬＸ＝２６．０ｍｍ
ＬＹ＝８．８ｍｍ
（光学部材諸元）
面番号    ｒ           ｄ           ｎ          光学部材
（レチクル面）  50.1769
1        ∞          8.0000      1.5603261      （Ｐ１）
2        ∞          5.0000
3        ∞         14.0000      1.5603261      （Ｌ１）
4*     217.19960    41.5008
5     -109.91797    27.9892      1.5603261      （Ｌ２）
6     -533.61788     1.0000
7*   -1201.61978    36.1765      1.5603261      （Ｌ３）
8     -245.77847     1.0000
9    -1216.27339    31.0000      1.5603261      （Ｌ４）
10    -304.66433     1.0000
11       ∞         33.5734      1.5603261      （Ｌ５）
12    -394.05151     1.0000
13     418.81873    33.0000      1.5603261      （Ｌ６）
14       ∞          1.0000
15     208.52638    32.0000      1.5603261      （Ｌ７）
16     349.98100    56.5255
17     279.84803    28.0000      1.5603261      （Ｌ８）
18*   1954.07914     1.0000
19     397.31181    45.0000      1.5603261      （Ｌ９）
20     134.64746    11.2308
21     194.61592    28.0000      1.5603261      （Ｌ１０）
22     128.40051    14.8421
23     289.46376    27.0000      1.5603261      （Ｌ１１）
24*    176.14100    40.6524
25    -132.76956    14.0000      1.5603261      （Ｌ１２）
26     237.71636    33.8751
27*   -151.18278    17.2861      1.5603261      （Ｌ１３）
28    -734.14434     1.4155
29    1056.26697    46.3136      1.5603261      （Ｌ１４）
30    -209.97246     1.0000
31       ∞         24.0000      1.5603261      （Ｌ１５）
32*   1578.98061    16.2719
33   -2955.50000    43.4422      1.5603261      （Ｌ１６）
34    -250.61857     1.0000
35     264.49672    47.1753      1.5603261      （Ｌ１７）
36    1842.89140    20.4296
37       ∞         25.3352                     （ＡＳ）
38    -933.68251    30.0000      1.5603261      （Ｌ１８）
39     283.69200    15.6656
40     438.52101    38.7262      1.5603261      （Ｌ１９）
41   -2247.55693    17.4242
42    -749.10624    37.2389      1.5603261      （Ｌ２０）
43    -285.45884     1.0000
44     256.33622    49.9904      1.5603261      （Ｌ２１）
45    1549.17025     1.0000
46     186.62100    36.5000      1.5603261      （Ｌ２２）
47     304.37994     1.0000
48     149.99100    51.9641      1.5603261      （Ｌ２３）
49*    401.44843     1.4421
50     231.95253    41.9950      1.5014548      （Ｌ２４）
51     298.54379     8.3436
52    2955.50000    19.7001      1.5014548      （Ｌ２５）
53       ∞          1.4973
54       ∞          5.3034      1.5603261      （Ｐ２）
55       ∞          9.0000
56       ∞         20.0000      1.5014548      （Ｐ３）
57       ∞          1.0000      1.43664
（ウェハ面）
（非球面データ）
４面
κ＝０
Ｃ4＝−１．１１１７７×１０-7   Ｃ6＝３．３４６１７×１０-12
Ｃ8＝−１．４７６１４×１０-16    Ｃ10＝５．１５６８１×１０-21
Ｃ12＝６．３３６７３×１０-25    Ｃ14＝−５．５８６３８×１０-29
７面
κ＝０
Ｃ4＝５．１１７６２×１０-9   Ｃ6＝−１．１２４６９×１０-13
Ｃ8＝−５．６１９７８×１０-18    Ｃ10＝３．２０５３８×１０-22
Ｃ12＝８．５０６７６×１０-27    Ｃ14＝−６．２０６４１×１０-31
１８面
κ＝０
Ｃ4＝６．１６１５５×１０-8   Ｃ6＝−１．２２１２６×１０-12
Ｃ8＝６．８７３９４×１０-17    Ｃ10＝−２．３７００６×１０-21
Ｃ12＝９．７１４９４×１０-26    Ｃ14＝−７．９３９８５×１０-31
２４面
κ＝０
Ｃ4＝−９．２７５１４×１０-8   Ｃ6＝１．６５８１２×１０-12
Ｃ8＝−２．０１９３６×１０-16    Ｃ10＝２．９５８５０×１０-21
Ｃ12＝−１．６６４１５×１０-25    Ｃ14＝−１．４９３４５×１０-28
２７面
κ＝０
Ｃ4＝２．９１４００×１０-8   Ｃ6＝１．３０９２５×１０-12
Ｃ8＝５．１６３９８×１０-17    Ｃ10＝６．９５５６２×１０-21
Ｃ12＝−１．２８７３０×１０-25    Ｃ14＝８．７５２９１×１０-29
３２面
κ＝０
Ｃ4＝４．０７６６６×１０-8   Ｃ6＝−２．９７２５１×１０-13
Ｃ8＝−７．５９００７×１０-18    Ｃ10＝２．１７４３６×１０-22
Ｃ12＝３．０３５０１×１０-28    Ｃ14＝−６．８２６１９×１０-32
４９面
κ＝０
Ｃ4＝４．３２６１７×１０-9   Ｃ6＝１．０９５１１×１０-13
Ｃ8＝−１．８３２９６×１０-17    Ｃ10＝８．４２１４１×１０-22
Ｃ12＝−２．９９７１７×１０-26    Ｃ14＝７．８１７０８×１０-31
【００３１】
図３に示すように、本実施形態の液浸型投影光学系ＰＬは、ウェハＷ側から順に、厚さ１．０ｍｍの平行平面状の純水層（浸液層）、蛍石により形成された厚さ２０．０ｍｍの平行平面板Ｐ３、厚さ９．０ｍｍの平行平面状の窒素層（気体層）、石英により形成された厚さ５．３０３４ｍｍの平行平面板Ｐ２、厚さ１．４９７３ｍｍの平行平面状の窒素層、および蛍石により形成された厚さ１９．７００１ｍｍの平凸レンズＬ２５を含んでいる。
【００３２】
図４は、本実施形態の液浸型投影光学系への切り換え前の乾燥型投影光学系の像側要部構成を概略的に示す図である。なお、平行平面板Ｐ１のレチクル側の平面から平行平面板（Ｐ２またはＰ２ａ）のレチクル側の平面までの構成は、液浸型と乾燥型とで共通である。換言すれば、液浸型と乾燥型とでは、レチクルＲから平行平面板Ｐ１までの距離、平行平面板（Ｐ２またはＰ２ａ）の厚さ、平行平面板（Ｐ２またはＰ２ａ）と平行平面板（Ｐ３またはＰ３ａ）との間隔、および平行平面板（Ｐ３またはＰ３ａ）の厚さが異なる。次の表（２）に、本実施形態にかかる乾燥浸型投影光学系の諸元の値を掲げる。ただし、表（２）では、液浸型投影光学系との共通部分の表示を省略している。
【００３３】
表（２）
（主要諸元）
λ＝１９３．３０６ｎｍ
β＝−１／４
ＮＡ＝０．８５
Ｙｍ＝１３．７３ｍｍ
ＬＸ＝２６．０ｍｍ
ＬＹ＝８．８ｍｍ
（光学部材諸元）
面番号    ｒ           ｄ           ｎ          光学部材
（レチクル面）  50.1829
1        ∞          8.0000      1.5603261      （Ｐ１）
・       ・            ・           ・             ・
・       ・            ・           ・             ・
・       ・            ・           ・             ・
52    2955.50000    19.7001      1.5014548      （Ｌ２５）
53       ∞          1.4973
54       ∞          4.0000      1.5603261      （Ｐ２ａ）
55       ∞          8.0028
56       ∞         22.2946      1.5014548      （Ｐ３ａ）
57       ∞          1.0000      1.43664
（ウェハ面）
【００３４】
図４に示すように、本実施形態の液浸型投影光学系ＰＬへの切り換え前の乾燥型投影光学系は、ウェハＷ側から順に、厚さ１．０ｍｍの平行平面状の純水層（浸液層）、蛍石により形成された厚さ２２．２９５ｍｍの平行平面板Ｐ３ａ、厚さ８．００３ｍｍの平行平面状の窒素層（気体層）、石英により形成された厚さ４．０ｍｍの平行平面板Ｐ２ａ、厚さ１．４９７３ｍｍの平行平面状の窒素層、および蛍石により形成された厚さ１９．７００１ｍｍの平凸レンズＬ２５を含んでいる。
【００３５】
したがって、本実施形態では、図４に示す乾燥型投影光学系から図３に示す液浸型投影光学系ＰＬへの切り換えに際して、蛍石により形成された厚さ２２．２９５ｍｍの平行平面板Ｐ３ａを、同じく蛍石により形成された厚さ２０．０ｍｍの平行平面板Ｐ３と交換して所定の位置に位置決めする必要がある。また、石英により形成された厚さ４．０ｍｍの平行平面板Ｐ２ａを、同じく石英により形成された厚さ５．３０３４ｍｍの平行平面板Ｐ２と交換して所定の位置に位置決めする必要がある。
【００３６】
ところで、乾燥型投影光学系から液浸型投影光学系ＰＬへの切り換えに際して、最も像面側（ウェハ側）に配置された平行平面板Ｐ３の像面側の平面状の光学面と液浸型投影光学系ＰＬの像面とが互いに平行に設定されない場合、この平行度誤差に起因して液浸型投影光学系ＰＬの光学性能が低下する。これは、境界レンズとしての平行平面板Ｐ３の物体側（レチクル側）の光学面が窒素（気体）に接し、像面側の光学面が純水（液体）に接するため、窒素と純水との屈折率差によって収差が発生するためである。
【００３７】
具体的には、平行平面板Ｐ３の像面側の平面状の光学面と像面との間に平行度誤差が残存すると、図５に示すように、主光線５１が像面５２に達する位置Ａと、上コマ光線５３が像面５２に達する位置Ｂと、下コマ光線５４が像面５２に達する位置Ｃとが一致しなくなる。その結果、液浸型投影光学系ＰＬには、偏芯コマ収差、偏芯球面収差、偏芯歪曲収差、像面傾斜などの収差が発生することになる。なお、上コマ光線５３および下コマ光線５４は、物体面（レチクルＲ）上の１点からの光線のうち最大入射角度で像面に達する光線である。
【００３８】
ここで、主光線５１が像面５２に達する位置Ａと上コマ光線５３が像面５２に達する位置Ｂとの距離をαとし、主光線５１が像面５２に達する位置Ａと下コマ光線５４が像面５２に達する位置Ｃとの距離をβとすると、偏芯コマ収差量はα＋βに対応し、偏芯球面収差量はα−βに対応する。そして、上コマ光線５３が像面５２に達する位置Ｂと下コマ光線５４が像面５２に達する位置Ｃとが一致しない場合、すなわちα≠βの場合、偏芯球面収差とともに、偏芯歪曲収差および像面傾斜が発生する。
【００３９】
ちなみに、乾燥型投影光学系の場合、平行平面板Ｐ３ａの像面側の平面状の光学面と像面との間に平行度誤差が残存すると、上コマ光線５３が像面に達する位置Ｂと下コマ光線５４が像面に達する位置Ｃとは一致するが、主光線５１が像面５２に達する位置Ａと位置ＢおよびＣとが一致しなくなる。この場合、液浸型投影光学系ＰＬの場合と同様に、偏芯コマ収差は発生する。しかしながら、α＝βとなるので、液浸型投影光学系ＰＬの場合とは異なり、偏芯球面収差、偏芯歪曲収差、および像面傾斜は発生しない。
【００４０】
一般に、偏芯コマ収差は、所定の光学部材の位置または姿勢を調整することにより、すなわちレンズ調整により補正が容易である。これに対し、偏芯コマ収差以外の収差、すなわち偏芯球面収差、偏芯歪曲収差、像面傾斜などの収差は、一般のレンズ調整による補正が非常に困難である。したがって、乾燥型投影光学系から液浸型投影光学系ＰＬへの切り換えに際して、平行平面板Ｐ３の像面側の平面状の光学面と像面との間の平行度誤差をできるだけ小さく抑えることにより、偏芯球面収差、偏芯歪曲収差、および像面傾斜の発生を良好に抑えることが重要である。
【００４１】
図６は、乾燥型投影光学系から液浸型投影光学系への切り換えに適用される本実施形態の調整方法のフローチャートである。図６を参照すると、本実施形態の調整方法では、良好な収差状態に調整済みの乾燥型投影光学系において、最も像面側に配置された平行平面板Ｐ３ａの像面側の平面状の光学面と像面との平行度を測定する（Ｓ１）。なお、測定工程Ｓ１では、たとえばオートコリメータを用いて、平行平面板Ｐ３ａの像面側の平面状の光学面と像面との平行度、具体的には平行平面板Ｐ３ａの像面側の平面状の光学面と像面とのなす角度を２秒程度の精度で測定することができる。
【００４２】
次いで、乾燥型投影光学系用の平行平面板Ｐ３ａを液浸型投影光学系用の平行平面板Ｐ３と交換するとともに、乾燥型投影光学系用の平行平面板Ｐ２ａを液浸型投影光学系用の平行平面板Ｐ２と交換する（Ｓ２）。さらに、交換工程Ｓ２の後に、測定工程Ｓ１の測定結果である平行度誤差（平行平面板Ｐ３ａの像面側の平面状の光学面と像面とのなす角度に関する情報）を参照して、平行平面板Ｐ３の像面側の平面状の光学面を像面に対して平行に位置決めする（Ｓ３）。なお、位置決め工程Ｓ３では、平行平面板Ｐ２も所定の位置および姿勢に位置決めすることはいうまでもない。
【００４３】
こうして、位置決め工程Ｓ３では、平行平面板Ｐ３ａの像面側の平面状の光学面と像面との平行度誤差を参照することにより、平行平面板Ｐ３の像面側の平面状の光学面を像面に対して平行に精度良く位置決めすることが容易になる。その結果、一般のレンズ調整による補正が困難な収差、すなわち偏芯球面収差、偏芯歪曲収差、像面傾斜などの発生を良好に抑えることができる。しかしながら、平行平面板Ｐ３と像面との平行度の調整により、偏芯コマ収差が発生することがある。
【００４４】
そこで、位置決め工程Ｓ３の後に、液浸型投影光学系ＰＬの収差、特に偏芯コマ収差成分を適当な周知の方法にしたがって測定する（Ｓ４）。そして、液浸型投影光学系ＰＬの収差を調整するために、たとえば平行平面板Ｐ３に隣接する平行平面板Ｐ２を光軸ＡＸに対して傾斜（チルト）させて、平行平面板Ｐ３と像面との平行度の調整により発生した偏芯コマ収差を必要に応じて補正する（Ｓ５）。なお、収差調整工程すなわち収差補正工程Ｓ５では、複数のレンズ（パワーを有する透過光学部材）を光軸ＡＸに対して偏芯（シフト）させることにより偏芯コマ収差を補正することもできる。こうして、必要に応じて実施された収差補正工程Ｓ５を経て、良好な収差状態に調整された液浸型投影光学系ＰＬが得られる。
【００４５】
以上のように、本実施形態では、一般のレンズ調整による補正が困難な収差、すなわち偏芯球面収差、偏芯歪曲収差、像面傾斜などの発生を良好に抑えて、乾燥型投影光学系から液浸型投影光学系ＰＬへ切り換えることができる。液浸型への切り換えにより、投影光学系の焦点深度の向上を図るとともに、ウェハＷにおけるレジスト反射率の低下を図ることができる。したがって、本実施形態の露光装置では、諸収差の発生を良好に抑えて乾燥型から液浸型へ切り換えられた投影光学系ＰＬを用いて、深い焦点深度のもとで良好な露光を行うことができる。なお、本実施形態では、乾燥型から液浸型へ投影光学系を切り換えているが、液浸型の投影光学系ＰＬを乾燥型の投影光学系に切り換えることも可能である。
【００４６】
なお、上述の実施形態では、投影光学系ＰＬの内部、レチクルＲおよびレチクルステージＲＳなどを密封包囲するケーシングの内部およびウェハＷおよびウェハステージＷＳなどを密封包囲するケーシングの内部に窒素が充填されている。しかしながら、これに限定されることなく、投影光学系ＰＬの内部および上記ケーシングの内部にヘリウムガスなどの不活性ガスが充填されているか、あるいはほぼ真空状態に保持されていてもよい。
【００４７】
上述の実施形態の露光装置では、照明装置によってレチクル（マスク）を照明し（照明工程）、投影光学系を用いてマスクに形成された転写用のパターンを感光性基板に露光する（露光工程）ことにより、マイクロデバイス（半導体素子、撮像素子、液晶表示素子、薄膜磁気ヘッド等）を製造することができる。以下、本実施形態の露光装置を用いて感光性基板としてのウェハ等に所定の回路パターンを形成することによって、マイクロデバイスとしての半導体デバイスを得る際の手法の一例につき図７のフローチャートを参照して説明する。
【００４８】
先ず、図７のステップ３０１において、１ロットのウェハ上に金属膜が蒸着される。次のステップ３０２において、その１ロットのウェハ上の金属膜上にフォトレジストが塗布される。その後、ステップ３０３において、本実施形態の露光装置を用いて、マスク上のパターンの像がその投影光学系を介して、その１ロットのウェハ上の各ショット領域に順次露光転写される。その後、ステップ３０４において、その１ロットのウェハ上のフォトレジストの現像が行われた後、ステップ３０５において、その１ロットのウェハ上でレジストパターンをマスクとしてエッチングを行うことによって、マスク上のパターンに対応する回路パターンが、各ウェハ上の各ショット領域に形成される。
【００４９】
その後、更に上のレイヤの回路パターンの形成等を行うことによって、半導体素子等のデバイスが製造される。上述の半導体デバイス製造方法によれば、極めて微細な回路パターンを有する半導体デバイスをスループット良く得ることができる。なお、ステップ３０１〜ステップ３０５では、ウェハ上に金属を蒸着し、その金属膜上にレジストを塗布、そして露光、現像、エッチングの各工程を行っているが、これらの工程に先立って、ウェハ上にシリコンの酸化膜を形成後、そのシリコンの酸化膜上にレジストを塗布、そして露光、現像、エッチング等の各工程を行っても良いことはいうまでもない。
【００５０】
また、本実施形態の露光装置では、プレート（ガラス基板）上に所定のパターン（回路パターン、電極パターン等）を形成することによって、マイクロデバイスとしての液晶表示素子を得ることもできる。以下、図８のフローチャートを参照して、このときの手法の一例につき説明する。図８において、パターン形成工程４０１では、本実施形態の露光装置を用いてマスクのパターンを感光性基板（レジストが塗布されたガラス基板等）に転写露光する、所謂光リソグラフィ工程が実行される。この光リソグラフィー工程によって、感光性基板上には多数の電極等を含む所定パターンが形成される。その後、露光された基板は、現像工程、エッチング工程、レジスト剥離工程等の各工程を経ることによって、基板上に所定のパターンが形成され、次のカラーフィルター形成工程４０２へ移行する。
【００５１】
次に、カラーフィルター形成工程４０２では、Ｒ（Red）、Ｇ（Green）、Ｂ（Blue）に対応した３つのドットの組がマトリックス状に多数配列されたり、またはＲ、Ｇ、Ｂの３本のストライプのフィルターの組を複数水平走査線方向に配列されたりしたカラーフィルターを形成する。そして、カラーフィルター形成工程４０２の後に、セル組み立て工程４０３が実行される。セル組み立て工程４０３では、パターン形成工程４０１にて得られた所定パターンを有する基板、およびカラーフィルター形成工程４０２にて得られたカラーフィルター等を用いて液晶パネル（液晶セル）を組み立てる。
【００５２】
セル組み立て工程４０３では、例えば、パターン形成工程４０１にて得られた所定パターンを有する基板とカラーフィルター形成工程４０２にて得られたカラーフィルターとの間に液晶を注入して、液晶パネル（液晶セル）を製造する。その後、モジュール組み立て工程４０４にて、組み立てられた液晶パネル（液晶セル）の表示動作を行わせる電気回路、バックライト等の各部品を取り付けて液晶表示素子として完成させる。上述の液晶表示素子の製造方法によれば、極めて微細な回路パターンを有する液晶表示素子をスループット良く得ることができる。
【００５３】
なお、上述の実施形態では、露光装置に搭載される投影光学系に対して本発明を適用しているが、これに限定されることなく、他の一般的な結像光学系に対して本発明を適用することもできる。また、上述の実施形態では、ＡｒＦエキシマレーザー光源を用いているが、これに限定されることなく、所定の波長光を供給する他の適当な光源を用いることもできる。
【００５４】
また、上述の実施形態では、マスクおよび基板を投影光学系に対して相対移動させながら基板の各露光領域に対してマスクパターンをスキャン露光するステップ・アンド・スキャン方式の露光装置に対して本発明を適用している。しかしながら、これに限定されることなく、マスクと基板とを静止させた状態でマスクのパターンを基板へ一括的に転写し、基板を順次ステップ移動させて各露光領域にマスクパターンを逐次露光するステップ・アンド・リピート方式の露光装置に対して本発明を適用することもできる。
【図面の簡単な説明】
【００５５】
【図１】本発明の実施形態にかかる露光装置の構成を概略的に示す図である。
【図２】本実施形態の液浸型投影光学系のレンズ構成を概略的に示す図である。
【図３】本実施形態の液浸型投影光学系の像側要部構成を概略的に示す図である。
【図４】本実施形態の液浸型投影光学系への切り換え前の乾燥型投影光学系の像側要部構成を概略的に示す図である。
【図５】乾燥型投影光学系から液浸型投影光学系への切り換えに際して発生する収差を説明する図である。
【図６】乾燥型投影光学系から液浸型投影光学系への切り換えに適用される本実施形態の調整方法のフローチャートである。
【図７】マイクロデバイスとしての半導体デバイスを得る際の手法のフローチャートである。
【図８】マイクロデバイスとしての液晶表示素子を得る際の手法のフローチャートである。
【符号の説明】
【００５６】
１００  レーザー光源
ＩＬ  照明光学系
Ｒ  レチクル
ＲＳ  レチクルステージ
ＰＬ  投影光学系
Ｗ  ウェハ
ＷＳ  ウェハステージ
Ｌｉ  レンズ成分
Ｐｉ  平行平面板
ＡＳ  開口絞り
【図１】
2005235921.tif 000003
【図２】
2005235921.tif 000004
【図３】
2005235921.tif 000005
【図４】
2005235921.tif 000006
【図５】
2005235921.tif 000007
【図６】
2005235921.tif 000008
【図７】
2005235921.tif 000009
【図８】
2005235921.tif 000010